(57)【要約】【課題】  外部から解除出来ない安心できるドアガードを提供する。【解決手段】  ドアガード本体の台座３ｃ及び受け具の台座４ｂを固定しているネジ５ａ、５ｂ、５ｃを、ドアの僅少隙間Ａからドライバー等の工具を利用して取り外しできないように、Ｕ字型アーム本体３が、施錠時に固定ネジ５ａ、５ｂ、５ｃに被さるような形状にし、又、樹脂板等を使用した不法開錠行為に対しても、Ｕ字型アーム３の回転軸３ａ、３ｂをドア面１ａ及びドア戸先部１ｂがら離して配置した形状により、不法開錠を不可能とした。又、使用方法も現行市販されているドアガード同様にＵ字型アーム３を回動させるだけの簡易なものとした。【選択図】図１
2007262873.tif 000002
【特許請求の範囲】
【請求項１】
ドア枠側に固定ネジにより固定された受け具と、ドア本体に固定ネジにより固定された台座に、回転可能なように取り付けられたＵ字型回動アーム（以後、Ｕ字型アームという）からなり、閉扉状態でＵ字型アームを回動させて、受け具に掛けることにより、開扉時にＵ字型アームの係合溝部が、受け具の係合する突起部分を扉の停止位置までスライドするドアガードにおいて、受け具を固定する固定ネジとＵ字型アームを取り付けた台座を固定する固定ネジ位置を、Ｕ字型アームと受け具が係合した状態で開扉した時に、Ｕ字型アーム本体が固定ネジに被さり、固定ネジの取外しを困難にしたことを特徴とするドアガード。
【請求項２】
上記ドアガードは、上記Ｕ字型アームの形状を、Ｕ字型と直行方向にＪ字型に形成し、又、上記Ｕ字型アームが回動する回転軸を、上記Ｊ字型の短辺先端位置に配置することで、ドア本体室内面から上記回転軸の位置まで距離を持たせ、又、同様に、受け具を係合し、スライドするＵ字型溝から、ドア本体の戸先側と反対側に距離を持たせた位置とした事を特徴とする請求項１記載のドアガード。
【発明の詳細な説明】
【技術分野】
【０００１】  本発明は、ドアの建物内部側に取付け、ドアの閉扉状態で使用し、ドアの開扉角度を制限するドアガードに関し、特に、室外からの様々な方法によるドアガードの解除を防ぐ事を可能としたドアガードに関する。
【背景技術】
【０００２】
【特許文献１】特開２００３−２７８４２７号公報
【特許文献２】特開２００５−９０８３号公報
【特許文献３】特開２００５−２４８５５１号公報
【０００３】  従来、建物等の出入口ドアには、外部からの侵入者を遮断するための施錠装置（以後ドアロックという）を、ドア本体とドア枠が係合するように設けてあるが、外来の者を確認するために、又は、会話を交わすために、開錠状態のままで安全に、上記確認又は会話を交わすことができる安全装置として、Ｕ字型アームと受け具から成るドアガードといわれる補助錠の装置、又は、鎖を利用したドアチェーン等をドアロックと併用して、ドアの内部側に取付ける場合が多い。又、上記ドアガードは、就寝時の安全確保のための補助錠として利用される場合が多い。しかしながら、従来のドアガードにあっては、ドアガード本体を取付け固定しているネジが、施錠時にあっても、露出しているため、僅少開状態のドアの隙間から手を差し入れて、ドライバー等の工具を使用して、ドアガード本体を取外して内部に侵入することが可能となってしまう。【０００４】  他方、例えば、平成１４年３月２２日出願、特願２００２−８１５２６号のドアガードもあるが、これは、僅少開状態のドアの隙間から外部の者が手を指し入れて、ドライバー等の工具でドアガード本体の固定ネジを外すことを防ぐために、受け具の形状や機能を複雑にし、又、回動アームに防護ピンを取付ける等の工夫をしている。又、例えば、平成１５年６月１６日出願、特願２００３−１７１３４０号や平成１６年３月４日出願、特願２００４−６０１８８号のドアガードもあるが、これらは、樹脂板等の道具を用いた不法開錠行為や、僅少隙間から手を指し入れての回動アームの不法開錠を防ぐために考案されたものである。
【発明の開示】
【発明が解決しようとする課題】
【０００５】    しかしながら、上記従来のものにあっては、ドアガード本体や、受け具の構造が複雑化しており、操作も複雑化している。そして、上記特願２００２−８１５２６号のもののように、一般的な出入口ドアと枠の形状には取付けが難しい上、樹脂板等を使用した不法な開錠行為には対応していないものや、上記特願２００３−１７１３４０号や特願２００４−６０１８８号のもののように、ドアガード本体と受け具の取付け固定ネジを外されることに対応していないものであり、外部からの不法な侵入を防止できない恐れがある。【０００６】  本発明は、上記の問題点に鑑みて工夫されたものであり、ドアの外部側からドアガードを不法解除されることのできない構造とし、従来通りの操作性で、安全性の高いドアガードを提供することを目的とする。
【課題を解決するための手段】
【０００７】  上記目的を達成するために、本発明においては、次のような構成を有する。すなわち、請求項１記載の発明に係るドアガードは、外部から、僅少開状態のドアの隙間から手を指し入れて、ドライバー等を使用してドアガード及び受け具の取付け固定ネジを容易に取外すことのできないように、Ｕ字型アームと、受け具が係合した状態で、Ｕ字型アーム本体が、固定ネジに被さり、固定ネジを隠す構造としたことを特徴とする。【０００８】  又、請求項２記載のドアガードは、僅少開状態のドアの隙間から樹脂板等を挿入して閉扉することで、樹脂板等の折れ曲がる力によって、ドアガードのＵ字型アームを回動させて開錠状態に戻す事を防ぐため、Ｕ字型アームの形状と、回転軸の位置を従来のものと変え、樹脂板等で容易にＵ字型アームを開錠状態に戻せない構造としたことを特徴とする。
【発明の効果】
【０００９】  以上のように、請求項１記載のドアガードによれば、外部から不法に侵入しようとする者が、ドアの僅少隙間からドライバー等の工具を使用してドアガードの固定ネジを取外そうとしても、ネジ頭が露出していないことで、固定ネジの取外しは不可能となり、不法侵入を防ぐ効果を奏する。【００１０】  また、請求項２記載の発明によれば、ドア隙間からの樹脂板等の挿入による不法開錠を防ぐ効果を奏する。【００１１】  また、請求項１記載の発明によれば、ドアガード本体取付けの台座及び受け具取付台座の形状を小型化でき、デザイン上の視覚効果が上がることが期待できる。【００１２】  また、請求項１記載の発明によれば、デザインの種類によっては、従来型のドアガード取付けネジ穴と同じ位置に、本発明によるドアガードを取付けることができ、容易に従来型のドアガードと交換することができる効果を奏する。
【発明を実施するための最良の形態】
【００１３】  以下、本発明の実施の形態を、図面に基づき、詳細に説明する。【００１４】  ドアガードは、主に、建物出入口ドア等の、ヒンジと反対側の室内側の、ドア１と出入口ドア枠２との境界部に取付けられ、外開きとなるドア１側に取付けられる回動自在のＵ字型アーム３と、出入口ドア枠２側に取付けられる受け具４とからなり、Ｕ字形アーム３を受け具４の中心軸棒４ａに回動して係合させることで、ドア１をヒンジにより回動させた時に、Ｕ字型アーム３のストップ位置で、受け具４の中心軸棒４ａが接触することで、ドア１の回動を止め、ドア１とドア枠２との開口部（隙間）Ａを形成するものである。なお、ドアガードの形状及び回転軸の微細な位置、材質につぃての上記具体例は一例であって、これに何ら限定されるものではなく、本発明の適用が可能なあらゆるドアガードの形状及び材質に適用できる。【００１５】  また、Ｕ字型アーム３本体の形状は、平面形状でアルファベット文字Ｊ字状（以後Ｊ字状という）に形成されており、Ｕ字型アーム３のＪ字形短辺端部に、Ｕ字型アームが回動するための回転軸３ａ、３ｂが設けられている。そして、このＵ字型アーム３は、図２に示すごとく、回転軸３ａ、３ｂにより回動し、ドア枠２に固定されている受け具４に係合させる。【００１６】  また、Ｕ字型アーム３の回転軸側端部は、前記Ｊ字状短辺端部となっていることで、回転軸３ａ、３ｂの位置を、出入口ドア内面１ａより離し、受け具４の中心軸４ｄと同じ軸線上にＳ３の距離をもって配置している。【００１７】    また、Ｕ字型アーム３の回転軸３ａ、３ｂの位置を、図２に示すごとく、出入口ドア先端部１ｂからの距離Ｓ１を、受け具の中心軸４ｄと直行する軸線Ｃ１上よりもＳ２の距離をもって配置し、上記のごとく、受け具の中心軸４ｄとの交点に位置している。【００１８】  また、Ｕ字型アーム本体３は、Ｊ字型平面形状とともに、図６及び図７に示すごとく、一方端をＵ字型立面形状とするほか、回転軸３ａ，３ｂ側端部付近には、Ｕ字型アーム３の回転軸３ａ、３ｂと平行して、Ｕ字型アーム３を固定している台座３ｃをドア１に固定するためのネジ５ａのネジ頭が施錠時に露出しないための、Ｕ字型アーム台座の固定ネジガード３ｄを設けている。【００１９】  また、Ｕ字型アーム３を固定している台座３ｃを、ドア１に取付ける固定ネジ５ｂは、図９及び図１０に示すごとく、ドアガードのＵ字型アーム３を回動し、施錠したときに、Ｕ字型アーム本体３によりネジ頭を隠すような位置と間隔をもって、ドア１に取付けられており、固定ネジ５ａは、図９及び図１０に示すごとく、Ｕ字型アーム３の回転軸３ａ、３ｂ付近で、回転軸３ａ、３ｂと同じ向きに配置されているＵ字型アーム台座の固定ネジガード３ｄにより、ドアガード施錠時に、ネジ頭を隠すような形状となっている。【００２０】  また、受け具４を固定している台座４ｃをドア枠２に取付ける固定ネジ５ｃは、図７及び図８に示すごとく、ドアガードのＵ字型アーム３を回動し、施錠した時に、Ｕ字型アーム本体３により、ネジ頭を隠すような位置と間隔をもって、ドア枠２に取付けられている。【００２１】  また、前記固定ネジ５ａ、５ｂ、５ｃは、図６及び図８に示すごとく、ドアガード開錠時に���、ネジ頭が全て露出しており、ドアガード本体及び受け具の取付け、取外しには何ら影響を及ぼさない。【００２２】  ドアガードは、開錠時には図３に示すごとくのＵ字型アーム位置となっており、施錠時には、図４に示すごとくのＵ字型アームの位置となる。施錠時のＵ字型アーム３と、受け具４、取付けネジ５ａ、５ｂ、５ｃの位置関係は、図９に示すごとくとなり、全ての取付けネジ５ａ、５ｂ、５ｃは、Ｕ字型アーム本体３及びＵ字型アーム台座の固定ネジガード３ｄが被いかぶさるように形成されているため、施錠状態で、取付けネジ５ａ、５ｂ、５ｃを取外すことは不可能である。【００２３】  また、図１２及び図１３は、従来型の一般的なドアガードを使用し、ドア１とドア枠２との開口部Ａの外部側から、樹脂板等Ｂを挿入して、ドア１を閉める方向に回動させた時に、樹脂板等Ｂが、ドア１とドア枠２に挟まれて変形し、樹脂板等Ｂの先端が、ドアガードのＵ字型アームを開錠方向に押しもどす状況を示す概念図であるが、これは、Ｕ字型アームの回転軸の位置が、受け具４とドア内面１ａの間の、受け具４の中心軸４ｄと直行する軸線Ｃ１上に配置されているため、挿入した樹脂板等Ｂの変形時の動きが、そのままドアガードのＵ字型アームを開錠方向に単純回動させる事になり、ドアガードを開錠させてしまう。【００２４】  本実施の形態によれば、Ｕ字型アーム３の回転軸３ａ、３ｂの位置は、受け具４の中心軸４ａと同じ軸線上にあり、出入口ドア内面１ａからＳ３の距離の位置にある。又、前記回転軸３ａ，３ｂのドア戸先部１ｂからの位置Ｓ１は、Ｕ字型アームの施錠時の位置、すなわち、受け具の中心軸４ｄと直行する軸線Ｃ１との距離Ｓ２をとってあり、前記樹脂板等Ｂを、ドアの隙間から挿入され、不法開錠操作を行ったとしても、樹脂板等Ｂの先端位置は、Ｕ字型アーム３の回転軸３ａ、３ｂのドア内面１ａからの距離Ｓ３よりもドア内面１ａに近い位置にあり、前記従来型のドアガードのように、単純回動することはない。【００２５】  以上、本発明を上記実施の形態により詳述してきたが、具体的な構成は、この実施の形態に限られたものではなく、本発明の要旨を逸脱しない範囲の設計変更等があっても、本発明に含まれる。例えば、上記実施の形態から、回転軸の位置Ｓ１、Ｓ２、Ｓ３の大きさ、比率等や、Ｕ字型アーム３の長さや幅、受け具の形状等、様々な変形例を作ることも可能である。
【図面の簡単な説明】
【００２６】
【図１】  本発明の実施の形態に係るドアガードを施錠時にドアを開いた状態で示した外観斜視図である。
【図２】  上記ドアガードの施錠時、開錠時の動きを説明する平面図である。
【図３】  上記ドアガードの開錠時を説明する平面図である。
【図４】  上記ドアガードの施錠時を説明する平面図である。
【図５】  上記ドアガードの施錠状態でドアを開いた状態を説明する平面図である。
【図６】  上記ドアガードの開錠時を説明する正面図である。
【図７】  上記ドアガードの施錠時の回転軸位置の側断面図である。
【図８】  上記ドアガードの受材の正面図である。
【図９】  上記ドアガードの施錠状態で、ドアを閉めた状態の回転軸位置でのアームと受材との関係を説明する断面図である。
【図１０】  上記ドアガードの施錠状態で、ドアを開いた状態の受材位置でのアームと受材との関係を説明する断面図である。
【図１１】  従来のドアガードを施錠時に、ドアを開いた状態で示した外観斜視図である。
【図１２】  従来のドアガードを施錠状態で開扉時に、樹脂板等をドアと枠との開口部分から挿入した状態を説明する概念図である。
【図１３】  従来のドアガードを施錠状態で閉扉した時に、上記樹脂板が変形して、ドアガードのアームを開錠方向に回転させる様子を説明する概念図である。
【符号の説明】
【００２７】    １‥出入口ドア
１ａ‥出入口ドア内面
１ｂ‥出入口ドア戸先部
２‥出入口ドア枠
３‥Ｕ字型アーム
３ａ・３ｂ‥Ｕ字型アームの回転軸
３ｃ‥Ｕ字型アームの台座
３ｄ‥Ｕ字型アーム台座の固定ネジガード
３ｅ‥Ｕ字型アームの係合溝部
４‥受け具
４ａ‥受け具頭部
４ｂ‥受け具の中心軸棒
４ｃ‥受け具の台座
４ｄ‥受け具の中心軸
５ａ・５ｂ‥Ｕ字型アームの台座の固定ネジ
５ｃ‥受け具台座の固定ネジ
Ａ‥ドアとドア枠との開口部（隙間）
Ｂ‥樹脂板等
Ｃ１‥受け具の中心軸４ｄと直行する軸線
Ｓ１‥出入口ドア戸先部１ｂから回転軸３ａ、３ｂまでの距離
Ｓ２‥Ｃ１から回転軸３ａ、３ｂまでの距離
Ｓ３‥出入口ドア内面１ａから回転軸３ａ、３ｂまでの距離
【図１】
2007262873.tif 000003
【図２】
2007262873.tif 000004
【図３】
2007262873.tif 000005
【図４】
2007262873.tif 000006
【図５】
2007262873.tif 000007
【図６】
2007262873.tif 000008
【図７】
2007262873.tif 000009
【図８】
2007262873.tif 000010
【図９】
2007262873.tif 000011
【図１０】
2007262873.tif 000012
【図１１】
2007262873.tif 000013
【図１２】
2007262873.tif 000014
【図１３】
2007262873.tif 000015